【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
アクセサリ装置が着脱可能および通信可能に装着可能な撮像装置であって、
前記アクセサリ装置に電力を供給する電力供給手段と、
前記電力供給手段を制御するカメラ制御手段と、
前記アクセサリ装置と通信を行うカメラ通信手段とを有し、
前記カメラ通信手段は、前記アクセサリ装置から、該アクセサリ装置に設定可能な１又は複数の設定可能電力モードを受信し、前記アクセサリ装置に対して、前記電力供給手段が前記アクセサリ装置に供給可能な電力に対応する指示電力モードを送信し、
前記カメラ制御手段は、前記指示電力モードが前記１又は複数の設定可能電力モードのいずれかに対応するかどうかを判定し、
前記電力供給手段は、前記１又は複数の設定可能電力モードのいずれかが前記指示電力モードに対応する場合に、前記指示電力モードに対応する電力を供給することを特徴とする撮像装置。
【請求項２】
前記カメラ制御手段は、前記１又は複数の設定可能電力モードのいずれも前記指示電力モードに対応しない場合は、送信した前記指示電力モードとは異なり、且つ、前記１又は複数の設定可能電力モードのいずれかに対応する別の指示電力モードを選択することを特徴とする請求項１に記載の撮像装置。
【請求項３】
前記カメラ通信手段は、前記別の指示電力モードを前記アクセサリ装置に送信することを特徴とする請求項２に記載の撮像装置。
【請求項４】
前記電力供給手段は、前記１又は複数の設定可能電力モードのいずれも前記指示電力モードに対応しない場合は、所定の設定可能電力モードに対応する電力を前記アクセサリ装置に供給することを特徴とする請求項１に記載の撮像装置。
【請求項５】
前記カメラ通信手段は、前記１又は複数の設定可能電力モードの中から選択された前記別の指示電力モードを送信することを特徴とする請求項２に記載の撮像装置。
【請求項６】
撮像装置に着脱可能および通信可能に装着可能なアクセサリ装置であって、
前記撮像装置から電力の供給を受ける電力受給手段と、
前記アクセサリ装置の動作を制御するアクセサリ制御手段と、
前記撮像装置と通信を行うアクセサリ通信手段とを有し、
前記アクセサリ通信手段は、前記撮像装置に、前記アクセサリ装置に設定可能な１又は複数の設定可能電力モードを送信し、前記撮像装置から、該撮像装置が前記アクセサリ装置に供給可能な電力に対応する指示電力モードを受信し、
前記アクセサリ制御手段は、前記指示電力モードが前記１又は複数の設定可能電力モードのいずれかに対応するかどうかを判定し、
前記アクセサリ制御手段は、前記１又は複数の設定可能電力モードのいずれかが前記指示電力モードに対応する場合に、前記１又は複数の設定可能電力モードのうち、該指示電力モードに対応する設定可能電力モードで前記アクセサリ装置を動作させることを特徴とするアクセサリ装置。
【請求項７】
前記アクセサリ制御手段は、前記１又は複数の設定可能電力モードのいずれも前記指示電力モードに対応しない場合は、送信された前記指示電力モードとは異なり、且つ、前記１又は複数の設定可能電力モードのいずれかに対応する、別の指示電力モードに対応する電力モードで前記アクセサリ装置を動作させることを特徴とする請求項６に記載のアクセサリ装置。
【請求項８】
前記アクセサリ制御手段は、前記１又は複数の設定可能電力モードのいずれも前記指示電力モードに対応しない場合は、前記１又は複数の設定可能電力モードのうち所定の設定可能電力モードで前記アクセサリ装置を動作させることを特徴とする請求項６に記載のアクセサリ装置。
【請求項９】
前記アクセサリ制御手段は、前記撮像装置から前記指示電力モードを受信せずに前記アクセサリ装置の動作命令を受信した場合は、前記１又は複数の設定可能電力モードのうち所定の設定可能電力モードで前記アクセサリ装置を動作させることを特徴とする請求項６から８のいずれか一項に記載のアクセサリ装置。
【請求項１０】
アクセサリ装置が着脱可能および通信可能に装着可能な撮像装置の制御方法であって、
前記アクセサリ装置から、該アクセサリ装置に設定可能な１又は複数の設定可能電力モードを受信し、前記アクセサリ装置に対して、前記撮像装置が前記アクセサリ装置に供給可能な電力に対応する指示電力モードを送信するステップと、
前記指示電力モードが前記１又は複数の設定可能電力モードのいずれかに対応するかどうかを判定するステップと、
前記１又は複数の設定可能電力モードのいずれかが前記指示電力モードに対応する場合に、前記指示電力モードに対応する電力を供給するステップとを有することを特徴とする撮像装置の制御方法。
【請求項１１】
撮像装置に着脱可能および通信可能に装着可能なアクセサリ装置の制御方法であって、
前記撮像装置に、前記アクセサリ装置に設定可能な１又は複数の設定可能電力モードを送信し、前記撮像装置から、該撮像装置が前記アクセサリ装置に供給可能な電力に対応する指示電力モードを受信するステップと、
前記指示電力モードが前記１又は複数の設定可能電力モードのいずれかに対応するかどうかを判定するステップと、
前記１又は複数の設定可能電力モードのいずれかが前記指示電力モードに対応する場合に、前記１又は複数の設定可能電力モードのうち、該指示電力モードに対応する設定可能電力モードで前記アクセサリ装置を動作させるステップとを有することを特徴とするアクセサリ装置の制御方法。
【請求項１２】
アクセサリ装置が着脱可能および通信可能に装着可能な撮像装置のコンピュータに、請求項１０に記載の制御方法に従う処理を実行させることを特徴とするコンピュータプログラム。
【請求項１３】
撮像装置が着脱可能および通信可能に装着可能なアクセサリ装置のコンピュータに、請求項１１に記載の制御方法に従う処理を実行させることを特徴とするコンピュータプログラム。
【手続補正２】
【補正対象書類名】明細書
【補正対象項目名】０００７
【補正方法】変更
【補正の内容】
【０００７】
本発明の一側面としての撮像装置は、アクセサリ装置が着脱可能および通信可能に装着可能である。該撮像装置は、アクセサリ装置に電力を供給する電力供給手段と、電力供給手段を制御するカメラ制御手段と、アクセサリ装置と通信を行うカメラ通信手段とを有する。カメラ通信手段は、アクセサリ装置から、該アクセサリ装置に設定可能な１又は複数の設定可能電力モードを受信し、アクセサリ装置に対して電力供給手段がアクセサリ装置に供給可能な電力に対応する指示電力モードを送信する。カメラ制御手段は、指示電力モードが１又は複数の設定可能電力モードのいずれかに対応するかどうかを判定する。そして、電力供給手段は、１又は複数の設定可能電力モードのいずれかが指示電力モードに対応する場合に、指示電力モードに対応する電力を供給することを特徴とする。
【手続補正３】
【補正対象書類名】明細書
【補正対象項目名】０００８
【補正方法】変更
【補正の内容】
【０００８】
また、本発明の他の一側面としてのアクセサリ装置は、撮像装置に着脱可能および通信可能に装着可能である。該アクセサリ装置は、撮像装置から電力の供給を受ける電力受給手段と、アクセサリ装置の動作を制御するアクセサリ制御手段と、撮像装置と通信を行うアクセサリ通信手段とを有する。アクセサリ通信手段は、撮像装置に、アクセサリ装置に設定可能な１又は複数の設定可能電力モードを送信し、撮像装置から、該撮像装置がアクセサリ装置に供給可能な電力に対応する指示電力モードを受信する。アクセサリ制御手段は、指示電力モードが１又は複数の設定可能電力モードのいずれかに対応するかどうかを判定する。そして、アクセサリ制御手段は、１又は複数の設定可能電力モードのいずれかが指示電力モードに対応する場合に、１又は複数の設定可能電力モードのうち、該指示電力モードに対応する設定可能電力モードでアクセサリ装置を動作させることを特徴とする。
【手続補正４】
【補正対象書類名】明細書
【補正対象項目名】０００９
【補正方法】変更
【補正の内容】
【０００９】
また、本発明の他の一側面としての制御方法は、アクセサリ装置が着脱可能および通信可能に装着可能な撮像装置に適用される。該制御方法は、アクセサリ装置から、該アクセサリ装置に設定可能な１又は複数の設定可能電力モードを受信し、アクセサリ装置に対して撮像装置がアクセサリ装置に供給可能な電力に対応する指示電力モードを送信するステップと、指示電力モードが１又は複数の設定可能電力モードのいずれかに対応するかどうかを判定するステップと、１又は複数の設定可能電力モードのいずれかが指示電力モードに対応する場合に、指示電力モードに対応する電力を供給するステップとを有することを特徴とする。
【手続補正５】
【補正対象書類名】明細書
【補正対象項目名】００１０
【補正方法】変更
【補正の内容】
【００１０】
さらに、本発明の他の一側面としての制御方法は、撮像装置に着脱可能および通信可能に装着可能なアクセサリ装置に適用される。該制御方法は、撮像装置に、アクセサリ装置に設定可能な１又は複数の設定可能電力モードを送信し、撮像装置から該撮像装置がアクセサリ装置に供給可能な電力に対応する指示電力モードを受信するステップと、指示電力モードが１又は複数の設定可能電力モードのいずれかに対応するかどうかを判定するステップと、１又は複数の設定可能電力モードのいずれかが指示電力モードに対応する場合に、１又は複数の設定可能電力モードのうち、該指示電力モードに対応する設定可能電力モードでアクセサリ装置を動作させるステップとを有することを特徴とする。
【手続補正６】
【補正対象書類名】明細書
【補正対象項目名】００２６
【補正方法】変更
【補正の内容】
【００２６】
また、レンズ指示電力決定部２０８は、交換レンズ１００に対して指示する電力モード（指示電力モード：以下、カメラ指示電力モードという）を決定する。カメラ指示電力モードは、カメラ電源回路２１１から、カメラ本体２００の動作を損なわずに交換レンズ１００に供給可能な電力、すなわち交換レンズ１００での消費が許容される電力に応じて決定される。
【手続補正７】
【補正対象書類名】明細書
【補正対象項目名】００２８
【補正方法】変更
【補正の内容】
【００２８】
レンズＣＰＵ（アクセサリ制御手段）１１４は、レンズ通信部１１５、電力モード記憶部１１６およびアクチュエータ（ＡＣＴ）電力決定部１１７を含む。レンズ通信部１１５は、前述した電気接点１１９ａ〜１１９ｃおよび電気接点２０９ａ〜２０９ｃを介してカメラＣＰＵ２０６と各種情報を通信する。電力モード記憶部１１６は、交換レンズ１００が対応している、すなわち交換レンズ１００が設定可能な電力モードであるレンズ電力モード（設定可能電力モード）を記憶している。レンズ電力モードについては、後述する。また、ＡＣＴ電力決定部１１７は、カメラ本体２００（カメラＣＰＵ２０６）から受信するカメラ指示電力モードに応じて、上記アクチュエータ１０６，１０８，１１０，１１２で消費する電力を決定する。
【手続補正８】
【補正対象書類名】明細書
【補正対象項目名】００３４
【補正方法】変更
【補正の内容】
【００３４】
カメラＣＰＵ２０６とレンズＣＰＵ１１４との間の通信は、前述のように電気接点１１９ａ〜１１９ｃおよび電気接点２０９ａ〜２０９ｃを介して行う。電気接点１１９ａと電気接点２０９ａにより通知チャネルＲＴＳを形成している。通知チャネルＲＴＳは、カメラＣＰＵ２０６からレンズＣＰＵ１１４に対して通信開始を要求するためのチャネルとして機能する。カメラＣＰＵ２０６は通知チャネルＲＴＳの電圧レベルを制御する。電気接点１１９ｂと電気接点２０９ｂによりカメラＣＰＵ２０６からレンズＣＰＵ１１４にデータを送信するためのデータ通信チャネルＤＣＬを形成し、電気接点１１９ｃと電気接点２０９ｃによりレンズＣＰＵ１１４からカメラＣＰＵ２０６にデータを送信するためのデータ通信チャネルＤＬＣを形成している。
【手続補正９】
【補正対象書類名】明細書
【補正対象項目名】００３８
【補正方法】変更
【補正の内容】
【００３８】
以上説明したように、本実施例では、カメラＣＰＵ２０６は、レンズＣＰＵ１１４から送信されたレンズ電力モードの内容を解釈し終える前に、レンズＣＰＵ１１４にカメラ指示電力モードを送信している。
【手続補正１０】
【補正対象書類名】明細書
【補正対象項目名】００６９
【補正方法】変更
【補正の内容】
【００６９】
次に、本発明の実施例４について説明する。実施例１〜３では、電力モード記憶部１１６が記憶している図４に示すような１又は複数のレンズ電力モードをカメラ本体２００に通知する場合について説明した。このようなレンズが新式の交換レンズであり、旧式の交換レンズでは自身のレンズ電力モードを通知することができない場合に、カメラ本体２００と旧式の交換レンズとの組み合わせでは旧式の交換レンズを動作させることができなくなる。そこで、実施例４では、カメラ本体２００が、交換レンズが装着された後に該交換レンズの種類を確認し、その確認結果に応じて指示電力モードの通知の仕方を変える。これにより、ユーザが、新旧の交換レンズに関わらずカメラ本体２００を使用できるようにしている。